(57)【特許請求の範囲】
【請求項１】
メダル類を通過させる通路と、この通路を通過するメダル類を検知するセンサとを備えた遊技機の投入メダル選別装置であって、
前記センサは、パルス信号により一定の間隔で点灯する投光素子と、前記パルス信号の点灯タイミングおよび消灯タイミングに同期した受光タイミングが制御される受光部とを有し、
前記センサの投光素子点灯時に、前記受光部が受光しているか否かを判定する第１判定部と、
前記センサの投光素子消灯時に、前記受光部が受光していないか否かを判定する第２判定部とを備え、
前記第１判定部および第２判定部により前記受光タイミングに対応する複数回の連続した受光／遮光であると判定された時、前記受光部の受光状態をメダル類の適正な通過の受光信号として出力する一方、
該第２判定部により投光素子消灯時に前記受光部が受光していると判定された時、次の点灯タイミングで前記投光素子を点灯させず、
該第２判定部により投光素子消灯時に前記受光部が受光していると判定されている間、点灯させない状態を維持し、
該第２判定部により投光素子消灯時に前記受光部が受光していないと判定された時、次の点灯タイミングから前記投光素子を点灯させるように構成した
遊技機の投入メダル選別装置。
【請求項２】
メダル類を通過させる通路と、この通路を通過するメダル類を検知するセンサとを備えた遊技機の投入メダル選別装置であって、
前記センサは、パルス信号により一定の間隔で点灯する投光素子と、前記パルス信号の点灯タイミングおよび消灯タイミングに同期した受光タイミングが制御される受光部とを有し、
前記センサの投光素子点灯時に、前記受光部が受光しているか否かを判定する第１判定部と、
前記センサの投光素子消灯時に、前記受光部が受光していないか否かを判定する第２判定部とを備え、
前記第１判定部および第２判定部により前記受光タイミングに対応する複数回の連続した受光／遮光であると判定された時、前記受光部の受光状態をメダル類の適正な通過の受光信号として出力する一方、
第１判定部により受光が判定され、第２判定部により受光していると判定された時、直前の出力状態を維持するように構成した
遊技機の投入メダル選別装置。
【請求項３】
前記第２判定部により投光素子消灯時に前記受光部が受光していると判定された時、エラー信号を出力するように構成した
請求項１又は２に記載の遊技機の投入メダル選別装置。
【請求項４】
前記センサがメダル類の通過方向に２組並設された
請求項１〜３の何れか１に記載の遊技機の投入メダル選別装置。
【発明の詳細な説明】
【技術分野】
【０００１】
この発明は、メダル類（メダル、コイン、硬貨）を通過させる通路と、この通路を通過するメダル類を検知するセンサとを備えたスロットマシンのような遊技機の投入メダル選別装置に関する。
【背景技術】
【０００２】
従来、上述例の遊技機の投入メダル選別装置のセンサとしては、図１６〜図１８に示した構造のものがある。
【０００３】
図１６は投入メダル選別装置に用いられるセンサの正面図、図１７は図１６のＣ−Ｃ線矢視断面図、図１８は図１７のＤ−Ｄ線矢視断面図であって、この投入メダル選別装置のセンサ１００は２分割構造のケース１０１，１０２内に回路基板１０３を配置すると共に、メダル１０４の通過側に位置する一方のケース１０１の内部上側には発光ダイオード（つまりＬＥＤ）などから成る投光素子１０５Ａ，１０５Ｂを設け、内部下側にはフォトトランジスタまたはフォトダイオードなどから成る受光素子１０６Ａ，１０６Ｂを設け、これらの各素子１０５Ａ，１０５Ｂ，１０６Ａ，１０６Ｂに対応して一方のケース１０１には光軸通路としてのスリット１０７，１０８をそれぞれ形成し、該ケース１０１のメダル通路１１０（図１９参照）上方に延出する延出部１０１ａには、投光素子１０５Ａ，１０５Ｂから発した光を受光素子１０６Ａ，１０６Ｂ側へ反射させる反射板１０９を設け、一方の投光素子１０５Ａと受光素子１０６ＡとでセンサＳ１７を構成し、他方の投光素子１０５Ｂと受光素子１０６ＢとでセンサＳ１８を構成したものである。  
なお、図１６において矢印はメダル１０４の通過方向を示す。
【０００４】
このように、投光素子１０５Ａ，１０５Ｂと、受光素子１０６Ａ，１０６Ｂとを備えているので、２つの光軸Ｘ７，Ｘ８（図１９においては図示の便宜上、○印にて示す）が形成され、図１９に示すようにメダル１０４がメダル通路１１０に沿って矢印方向へ移動して、メダル１０４で光軸Ｘ７，Ｘ８をこの順に遮ることで、メダル１０４の通過を検出することができる。
【０００５】
また、この種の検知器においては次のような波形処理が行なわれるのが一般的である。すなわち、図２０にメダル１０４が通過した正常時の各部の波形を示す。この場合、センサＳ１７，Ｓ１８の投光素子１０５Ａ，１０５Ｂにはパルス電流を流し、これら投光素子１０５Ａ，１０５Ｂを間欠点灯すると共に、投光タイミングと受光タイミングとの同期をとっている。また図２０のメダルの位置ａ〜ｅは図１９のそれと対応する。
【０００６】
メダル位置ａ，ｂ間でセンサＳ１７の光軸Ｘ７が遮光された後にセンサＳ１７の出力は遮光状態（ポイントＰ２１参照）となり、メダル位置ｂ，ｃ間でセンサＳ１８の光軸Ｘ８が遮光された後にセンサＳ１８の出力は遮光状態（ポイントＰ２２参照）となり、メダル位置ｃ，ｄ間でセンサＳ１７の光軸Ｘ７位置をメダル１０４が通過すると、入光状態になるため、センサＳ１７の出力は入光状態（ポイントＰ２３参照）となり、メダル位置ｄ，ｅ間でセンサＳ１８の光軸Ｘ８位置をメダル１０４が通過すると、入光状態になるため、センサＳ１８の出力は入光状態（ポイントＰ２４参照）となり、図２０に示すような正常時のセンサＳ１７，Ｓ１８の各出力が得られ、この出力の重なり方によってメダル１０４の通過方向およびメダルの通過数を検出乃至カウントすることができる。
【０００７】
しかし、上述のセンサＳ１７，Ｓ１８の受光素子１０６Ａ，１０６Ｂには直流光の光量に反応するものが用いられているので、投光素子１０５Ａ，１０５Ｂの発光タイミングと同期がとれたいわゆる変調光タイプの受光素子１０６Ａ，１０６Ｂであっても、これら受光素子１０６Ａ，１０６Ｂの信号は強い直流光の影響を受けて飽和する関係上、図２１を参照して以下に詳述する不正行為（いわゆる光ゴト）が可能となる。
【０００８】
この不正行為は、図１９の光軸Ｘ７，Ｘ８に対応する２つの投光素子１，２（図２１参照）を遮光性の不正治具（いわゆるセル）に取付け、これら投光素子１，２（図２１参照）をメダル１０４が通過するのと同じタイミングで点灯、消灯させることで、メダル１０４を一切通過させることなく、メダル１０４が通過したものと認識させる行為である。
【０００９】
この不正行為について、さらに詳述すると、上述の投光素子１，２の点灯、消灯を制御する制御回路や電池などが搭載または接続された細長い不正治具（いわゆるセル）を設け、図２１にタイミングチャートで示すようにこの不正治具の投光素子１，２を点灯させた状態で図１９の通路１１０に挿入する。この時、センサＳ１７，Ｓ１８の投光素子１０５Ａ，１０５Ｂからの光は、不正治具で遮光され、センサＳ１７，Ｓ１８の受光素子１０６Ａ，１０６Ｂは不正治具側の投光素子１，２で入光状態となっている。
【００１０】
次に光軸Ｘ７に対応する不正治具側の投光素子１を消灯する。この状態はメダル１０４で光軸Ｘ７を遮光した状態に相当する。
【００１１】
次に光軸Ｘ８に対応する不正治具側の投光素子２を消灯する。この状態はメダル１０４で光軸Ｘ７，Ｘ８の両方を遮光した状態に相当する。
【００１２】
次に光軸Ｘ７に対応する不正治具側の投光素子１を点灯する。この状態はメダル１０４で光軸Ｘ８のみを遮光した状態に相当する。
【００１３】
次に光軸Ｘ８に対応する不正治具側の投光素子２を点灯する。この状態はメダル１０４が光軸Ｘ７，Ｘ８位置をこの順に通過完了した状態に相当する。
【００１４】
上述の不正行為により図２１に各部の波形を示すように、センサＳ１７，Ｓ１８からは図２０で示した正常時と同じ出力が得られるので、遊技機は１枚のメダルが通過したものと認識し、上述の手順（図２１参照）による不正行為を繰返すことで、メダル１０４を一切投入することなく複数枚のメダル１０４が通過したものと遊技機に認識させることができる。  
一方、特許文献１には図１６〜図１８で示した従来構造に対して、投光素子と受光素子の配置を上下逆に成したものが開示されているが、投受光素子の配置を上下逆にしても、光軸との関係は図１６〜図１８のそれと同等になる以上、上述と同様の問題点が生ずる。
【００１５】
【特許文献１】特開２００２−２４８２１０号公報
【発明の開示】
【発明が解決しようとする課題】
【００１６】
そこで、この発明は不正行為によるメダルのカウントを実行しない遊技機の投入メダル選別装置の提供を目的とする。
【課題を解決するための手段】
【００１７】
この発明による遊技機の投入メダル選別装置は、メダル類を通過させる通路と、この通路を通過するメダル類を検知するセンサとを備えた遊技機の投入メダル選別装置であって、前記センサは、パルス信号により一定の間隔で点灯する投光素子と、前記パルス信号の点灯タイミングおよび消灯タイミングに同期した受光タイミングが制御される受光部とを有し、前記センサの投光素子点灯時に、前記受光部が受光しているか否かを判定する第１判定部と、前記センサの投光素子消灯時に、前記受光部が受光していないか否かを判定する第２判定部とを備え、前記第１判定部および第２判定部により前記受光タイミングに対応する複数回の連続した受光／遮光であると判定された時、前記受光部の受光状態をメダル類の適正な通過の受光信号として出力する一方、該第２判定部により投光素子消灯時に前記受光部が受光していると判定された時、次の点灯タイミングで前記投光素子を点灯させず、該第２判定部により投光素子消灯時に前記受光部が受光していると判定されている間、点灯させない状態を維持し、該第２判定部により投光素子消灯時に前記受光部が受光していないと判定された時、次の点灯タイミングから前記投光素子を点灯させるように構成したものである。
【００１８】
上述のメダル類はメダル、コイン硬貨に設定してもよく、投光素子はＬＥＤ（発光ダイオード）などの投光要素に設定してもよく、受光部はフォトトランジスタやフォトダイオードなどの受光素子または受光素子が予め回路化された受光要素に設定してもよい。
【００１９】
上記構成によれば、投光素子が消灯している時に、受光部が受光（不正治具の投光素子の投光に相当）していることを判定するため、受光部の飽和状態を確認することができ、この受光部の飽和状態を確認した時には、次の点灯タイミングで投光素子を点灯させないので、メダルカウントに要するパルスの発生を中止して、不正によるメダルのカウントを実行しない効果がある。
【００２０】
この発明による遊技機の投入メダル選別装置は、また、メダル類を通過させる通路と、この通路を通過するメダル類を検知するセンサとを備えた遊技機の投入メダル選別装置であって、前記センサは、パルス信号により一定の間隔で点灯する投光素子と、前記パルス信号の点灯タイミングおよび消灯タイミングに同期した受光タイミングが制御される受光部とを有し、前記センサの投光素子点灯時に、前記受光部が受光しているか否かを判定する第１判定部と、前記センサの投光素子消灯時に、前記受光部が受光していないか否かを判定する第２判定部とを備え、前記第１判定部および第２判定部により前記受光タイミングに対応する複数回の連続した受光／遮光であると判定された時、前記受光部の受光状態をメダル類の適正な通過の受光信号として出力する一方、第１判定部により受光が判定され、第２判定部により受光していると判定された時、直前の出力状態を維持するように構成したものである。
【００２１】
上記構成によれば、投光素子が消灯している時に受光部に受光していること、つまり不正治具の投光素子の投光により受光部が飽和していることを確認し、この受光部の飽和状態を確認した時には、直前の出力状態を維持するので、センサ出力が不正行為による影響を受けることがなく、不正によるメダルカウントを実行しない効果がある。
【００２２】
この発明による遊技機の投入メダル選別装置は、さらに、前記第２判定部により投光素子消灯時に前記受光部が受光していると判定された時、エラー信号を出力するように構成したものである。
【００２３】
上記構成によれば、投光素子が消灯している時に受光部が受光（不正治具の投光素子の投光に相当）していることを判定して、エラー信号を出力するので、センサ外部つまり遊技機側において不正の有無をチェックすることが可能となる。また上記エラー信号を用いてアラームを駆動することも可能となる。
【００２４】
この発明の一実施態様においては、前記センサがメダル類の通過方向に２組並設されたものである。 
上記構成によれば、メダル類の方向検知が可能となり遊技機のメダルカウントに対して有効となる。
【発明の効果】
【００２５】
この発明によれば、不正行為によるメダルのカウントを実行しないので、不正行為（いわゆる光ゴト）の対策に極めて有効である。
【発明を実施するための最良の形態】
【００２６】
本発明の実施の形態を以下図面に基づいて詳述する。
【実施例１】
【００２７】
図面は投入メダル選別装置を備えた遊技機の一例として遊技ホールに設置されるスロットマシンを示し、図１において、このスロットマシン１は前面の遊技操作面の一側にメダルＭを１枚ずつ受入れる投入口２を開口し、この投入口２に投入された正規の大きさのメダルを内部に取込み、不適合の大きさのメダル類を外部の返却口３に返却する選別機能を内蔵している。また。投入口２の横部には返却ボタン４を隣接しており、この返却ボタン４をプレーヤが遊技中止するために押下操作した場合もメダルＭを返却口３に返却処理する。
【００２８】
図２はスロットマシン１の前面扉５を片開き式に開口した扉の内面状態を示し、この開口されたスロットマシン本体１ａ側には上部にリール６を有し、下部にメダル取込み用のホッパ７と、図示しないメダル返却通路と、電源装置８とを有している。
【００２９】
一方、前面扉５側には内面に、上部よりリールカバー９と、投入メダル選別装置（メダルセレクタ）１０と、返却口３とをこの順に配設している。  
上述の投入メダル選別装置１０は、図３〜図６に示すように、平面視コの字状の基板１１と、開閉板１２とを備え、開閉板１２側の支軸１３を基板１１側の軸受部1４，１４に軸支すると共に、バネ１５により開閉板１２を常時基板１１側に付勢し、これら基板１１と開閉板１２との両者によりメダル通路１６を形成している。
【００３０】
このメダル通路１６は前述の投入口２に接続対応する入口１７と下方の出口１８とを有するＬ字状に形成され、入口１７から下方に延びる縦辺部と、斜め下方に延びて出口１８に至る下辺部と、これら両辺部を湾曲状に連通接続する湾曲部とを備えている。
【００３１】
また、図６に示すように基板１１裏側の支軸１９を支点として揺動可能な可動ガイド板２０を設け、この可動ガイド板２０のガイド部２１を基板１１の開口部２２から図３、図４、図５に示すようにメダル通路１６の上部に臨設し、このガイド部２１でメダルＭの上端側を搬送ガイドすべく構成している。
【００３２】
さらに、上述の可動ガイド板２０には図６に示すように基板１１の裏側に位置する排出部材としてのリゼクトレバー２３を一体に折り曲げ形成し、このリゼクトレバー２３の下端リゼクト部２３ａをメダル通路１６下流側の開口部１６ａから該メダル通路１６に出没可能に構成している。
【００３３】
また、上述の基板１１の裏側には図６に示すようにソレノイド２４で駆動されるレバー２５を設け、このレバー２５の遊端２５ａを可動ガイド板２０の上端２０ａに対向させ、ソレノイド２４のＯＮ時にレバー２５の遊端２５ａで可動ガイド板２０の上端２０ａを押圧して、そのガイド部２１でメダルＭの上端側を搬送ガイドすると共に、リゼクトレバー２３の下端リゼクト部２３ａをメダル通路１６の開口部１６ａから裏面側に後退させ、ソレノイド２４のＯＦＦ時にはガイド部２１によりメダルＭの上端側の搬送ガイドを解除すると共に、リゼクトレバー２３の下端リゼクト部２３ａをメダル通路１６の開口部１６ａから通路１６側へ突出させて、異径メダルＭ１を図３に示すように、開閉板１２の排出口１２ａから排出して、不適合の大きさのメダル類を外部の返却口３に返却すべく構成している。
【００３４】
したがって、出口１８からは遊技機用として専用に設けられた一定の大きさの円板形状を有する適正な大きさのメダルＭのみが受け入れ許容される。  
この出口１８の直前部においてメダル通路１６を形成する基板１１の通路壁には、通路１６を通過するメダルＭを探知して計数するセンサ３０を取付けている。
【００３５】
このセンサ３０は図７〜図９に示すように構成されている。ここに、図７はセンサ３０の正面図、図８は図７のＡ−Ａ線矢視断面図、図９は図７のＢ−Ｂ線矢視断面図である。
【００３６】
このセンサ３０は図８、図９に示すように２分割構造のケース３１，３２内に回路基板３３を配置している。一方のケース３１の上部には上方に延びる突片３４を一体形成し、この突片３４には取付け孔３５と位置決め孔３６とが形成されている。
【００３７】
また、一方のケース３１には、図３、図４、図５に示す基板１１の開口部３７からメダル通路１６の上方部に延出する延出部３８が一体形成されている。  
そして、このセンサ３０は図３〜図５に示すように基板１１の開口部３７からメダル通路１６の上方部に位置するように延出部３８が配置され、一方のケース３１は基板１１の裏面に固定され、延出部３８よりも下側の部分において後述する光軸と対応して基板１１のメダル通路１６の通路壁には開口部４０が形成され、センサ３０の全体はメダル通路１６の片面側からのみ投受光し得るコンパクトな配置構成となっている。
【００３８】
図７のＡ−Ａ線矢視断面図を図８に示すように、センサ３０のメダル通過方向の下流側にあっては、上述の延出部３８に反射板５０を取付け、この反射板５０によって光が反射される側には単一の受光部４１を配設し、そのリード線４２を回路基板３３に接続している。また受光部４１の受光側と対応してケース３１の延出部３８には光軸通路４３が形成されている。
【００３９】
またケース３１には所定間隔で上下方向に複数の投光素子４４，４５が配置されている。この実施例ではセンサ３０のコンパクト化およびコストダウンを図る目的でケース３１にメダルＭの直径とほぼ同等または直径より小さい離間間隔で２個の投光素子４４，４５を上下方向に配置している。
【００４０】
図８に示すように、これら各投光素子に４４，４５はその投光部が反射板５０の方向に指向すべく斜めに配置されていて、ケース３１には光軸通路としてのスリット４６，４７が傾斜状に開口形成され、投光素子４４，４５から反射板５０を介して１つの受光部４１に至る受光角度を異にする２つの光軸Ｘ１，Ｘ２を形成している。
【００４１】
また上述の各投光素子４４，４５のリード線４８，４９は回路基板３３に接続されている。そして、これら各投光素子４４，４５の光量は何れか１つの投光素子の光が単一の受光部４１に入ることで該受光部４１が入光状態になるように設定されている。  
換言すれば、2個の投光素子４４、４５から反射板５０を介して単一の受光部４１に入光する２つの光軸Ｘ１、Ｘ２を遮らない限り遮光状態とならないように構成したものである。  
そして、上述の各要素４１、４４、４５によりメダル通過方向に下流側の光学式検知センサＳ２が構成されている。
【００４２】
ここで、上述の2個の投光素子４４、４５から単一の受光部４１に入光する入光光量はそれぞれ同一レベルになるように構成されている。この入光光量を同一レベルにする手段としては、各投光素子４４、４５への通電電流を変えてもよく、投光軸通路としてのスリット４６、４７の開口面積を変えてもよい。
【００４３】
投光素子４４、４５への通電電流を変えて、入光光量を同一レベルにする場合には、受光部４１に対して遠い側の投光素子４５の通電電流（発光光量）を大に、受光部４１に対して近い側の投光素子４４の通電電流（発光光量）を小にするとよい。
【００４４】
スリット４６、４７の開口面積を変えて、入光光量を同一レベルにする場合には、受光部４１に対して遠い側の投光素子４５のスリット４７の開口面積を大に、受光部４１に対して近い側の投光素子４４のスリット４６の開口面積を小にするとよい。
【００４５】
図７のＢ−Ｂ線矢視断面図を図９に示すように、センサ３０のメダル通過方向の上流側にあっては、延出部３８に反射板５０を固定し、図８の受光部４１と対応する高さ位置においてケース３１内に投光素子５１を配設し、そのリード線５２は真っ直ぐに延ばして回路基板３３に接続している。
【００４６】
また図８の２個の投光素子４４、４５のうちの上側の投光素子４４と対応する高さ位置においてケース３１内に受光部５３を配設し、そのリード線５４は回路基板３３に接続している。
【００４７】
さらに上述の投光素子５１からの発光が反射板５０を介して受光部５３に入光するように各要素５１、５３の投光部、受光部と対応して光軸通路５５、５６を形成し、投光素子５１から反射板５０を介して受光部５３に至る光軸Ｘ３を形成して、これらの各要素５１、５３によりメダル通過方向上流側の検知センサＳ１を構成している。
【００４８】
つまり検知センサＳ１においては上側に投光素子５１を設け、下側に受光部５３を設けており、検知センサＳ２においては上側に受光部４１を設け、下側に投光素子４４，４５を設け、センサＳ１とセンサＳ２とで投受光要素の配置関係を上下逆になるように設定している。
【００４９】
また、図８で示した光学式検知センサＳ２の側部に、図９に示す検知センサＳ１を配設して、ケース３１、３２に各検知センサＳ１、Ｓ２を一体ユニット化することにより、光学式検知センサＳ２の下側の投光素子４５と対応する部分には、図７に示すように、不適合メダル類を排出する排出部材としてのリゼクトレバー２３の作動用の切欠き部５７を設けている。
【００５０】
なお、上述の投光素子４４，４５，５１としてはＬＥＤ（発光ダイオード）を用いることができ、上述の受光部４１，５３としては受光素子が予め回路化された受光要素を用いている。
【００５１】
このように構成したセンサ３０を投入メダル選別装置１０におけるメダル通路１６の通路壁に取付けると、図１０に示すように合計３つの光軸Ｘ１、Ｘ２、Ｘ３（但し、図１０においては図示の便宜上、光軸を○印にて示す）が形成される。
【００５２】
そこで、図１０に示すようにメダルＭがメダル通路１６に沿って同図の矢印方向へ移動して、このメダルＭで光軸Ｘ３、光軸Ｘ１、Ｘ２をこの順に遮ることで、メダルＭの通過を検出することができる。
【００５３】
図１１は検出センサＳ１，Ｓ２の制御回路ブロック図を示し、受光部４１，５３の次段には受光信号を増幅する増幅回路６１を接続し、この増幅回路６１の次段には判定回路６２を接続している。  
また同期回路６３を上述の判定回路６２とＬＥＤ駆動回路６４との双方に接続し、ＬＥＤ駆動回路６４で間欠点灯される投光素子４４，４５，５１の投光パルスと、この投光パルスを受光する受光部４１，５３の受光タイミングとを同期させている。  
さらに上述の各回路要素４１，５３，６１〜６４には電源回路６０からの電源が供給されるように構成している。
【００５４】
図１２はＬＥＤ駆動回路６４で間欠点灯される投光素子４４，４５，５１（つまりＬＥＤ）の投光パルスｆと、この投光パルスｆを受光部４１，５３が受光する時に強い直流光の影響がない場合の受光信号ｇと、強い直流光の影響がある場合の受光信号ｈとを示す波形図であって、強い直流光の影響がない場合には受光信号ｇは投光パルスｆと同期した信号になる一方、強い直流光の影響がある場合には飽和した受光信号ｈとなる。なお、図１２において矢印は受光信号を図１１の判定回路６２にて確認、判定するタイミングを示す。
【００５５】
すなわち、図１１に示す判定回路６２と同期回路６３とから成る判定部６５は、センサＳ１，Ｓ２の投光素子４４，４５，５１の間欠点灯時（投光パルスｆ参照）に、これと同期制御される受光部４１，５３が受光しているか否かを判定する第１判定部と、センサＳ１，Ｓ２の投光素子４４，４５，５１の消灯時に、これと同期制御される受光部４１，５３が受光していないか否かを判定する第２判定部とを兼ねるものであって、第１および第２判定部により複数回の適正な受光／遮光であると判定された時には正規の受光信号を出力すると共に、第１及び第２判定部により複数回の適正な遮光／遮光であると判定された時（メダルＭにより光軸Ｘ３，Ｘ１，Ｘ２が遮光された時）には正規の遮光信号を出力するように構成されている。なお、複数回の受光／遮光、遮光／遮光により誤動作を防止するものである。
【００５６】
しかも、この実施例では、第２判定部により投光素子４４，４５，５１の消灯時（消灯しているタイミング）にもかかわらず受光部４１，５３が受光していると判定された時には、次のタイミングで投光素子４４，４５，５１を点灯させないように構成している。
【００５７】
図１３は上記構成により変調光の信号処理を実施したタイミングチャートを示し、センサＳ１の投光素子５１の消灯時（時点ｔ１参照）において本来ならば受光部５３は受光しないにもかかわらず不正治具の投光素子１の点灯により該受光部５３が受光していると判定（第２判定部による判定）された時、次のタイミングでセンサＳ１の投光素子５１を点灯しないように制御されるが、不正治具の投光素子１の点灯継続により受光部５３の飽和状態を確認し、この飽和状態が完了する時点ｔ２も次のタイミングまで投光パルスｆ１の点灯を中止（投光パルスｆ１の点線部分参照）するので、センサＳ１の出力は期間Ｔ１の間、図１３に示すローレベルの遮光状態出力となる。また図１３に示す期間Ｔ２の間は不正治具によりセンサＳ１の投光パルスｆ１が遮光されているので、センサＳ１の出力は当然ローレベルの遮光状態出力となる。さらに時点ｔ３以降の期間Ｔ３については上述と同様の理由により、センサＳ１の出力はローレベルの遮光状態出力となる。
【００５８】
またセンサＳ２の投光素子４４，４５の消灯時（時点ｔ１参照）において本来ならば受光部４１は受光しないにもかかわらず不正治具の投光素子２の点灯により該受光部４１が受光していると判定（第２判定部による判定）された時、次のタイミングでセンサＳ２の投光素子４４，４５を点灯しないように制御されるが、不正治具の投光素子２の点灯継続により受光部４１の飽和状態を確認し、この飽和状態が完了する時点ｔ４の次のタイミングまで投光パルスｆ２の点灯を中止（投光パルスｆ２の点線部分参照）するので、センサＳ２の出力は期間Ｔ４の間、図１３に示すローレベルの遮光状態出力となる。また図１３に示す期間Ｔ５の間は不正治具によりセンサＳ２の投光パルスｆ２が遮光されているので、センサＳ２の出力は当然ローレベルの遮光状態出力となる。さらに時点ｔ５以降の期間Ｔ６については上述と同様の理由により、センサＳ２の出力はローレベルの遮光状態出力となる。
【００５９】
つまりセンサＳ１，Ｓ２の各出力は正規のメダル検知出力（図２０参照）とは全く異なる出力となる。
【００６０】
このように図１〜図１３で示した実施例の遊技機の投入メダル選別装置は、メダルＭを通過させる通路１６と、この通路１６を通過するメダルＭを検知するセンサ３０とを備えた遊技機の投入メダル選別装置であって、センサ３０の投光素子点灯時（各センサＳ１，Ｓ２の投光パルスｆ１，ｆ２参照）に、これと同期制御される受光部４１，５３が受光しているか否かを判定する第１判定部（判定部６５参照）と、センサ３０の投光素子消灯時に受光部４１，５３が受光していないか否かを判定する第２判定部（判定部６５参照）とを備え、第１および第２判定部（判定部６５参照）により複数回の適正な受光／遮光であると判定された時、受光信号を出力する一方、第２判定部により投光素子４４，４５，５１の消灯時に受光部４１，５３が受光していると判定された時、次のタイミングで投光素子４４，４５，５１を点灯させないように構成したものである。
【００６１】
この構成によれば、投光素子４４，４５，５１が消灯している時に、受光部４１，５３が受光（不正治具の投光素子の投光に相当）していることを判定するため、受光部４１，５３の飽和状態を確認することができ、この受光部４１，５３の飽和状態を確認した時には、次のタイミングで投光素子４４，４５，５１を点灯させないので、メダルカウントに要するパルスの発生を中止して、不正によるメダルのカウントを実行しない効果がある。
【００６２】
またセンサＳ１，Ｓ２がメダルＭの通過方向に２組並設されたものである。  
この場合、２組の受光部のうちの一方は、投受光タイミングの同期がとれた変調光タイプの受光部に設定し、他方は直流光に反応する受光部に設定してもよく、実施例で示したように双方共、投受光タイミングの同期がとれた変調光タイプの受光部に設定してもよい。なお、変調光タイプとは投受光のパルス化を意味する。
【００６３】
この構成によれば、メダルＭの方向検知が可能となり遊技機のメダルカウントに対して有効となる。
【００６４】
さらに、センサＳ１とセンサＳ２とで投受光要素の配置を逆にすると、図８に示すメダルＭと投光素子４４との間の距離に対して、同図に示すメダルＭと受光部４１との間の距離が大となり、不正治具側のＬＥＤの位置精度が要求されると共に、不正治具に取付けるＬＥＤに流すべき電流値を大きくする必要があるので、不正行為がさらに困難となり、反射板５０を介して光を受光すべく構成すると、不正治具側のＬＥＤにおいてはその投光角度も正確さが要求される関係上、不正行為がより一層困難となる。
【実施例２】
【００６５】
図１４は遊技機の投入メダル選別装置の他の実施例を示す。この実施例においても図１〜図１１で示した回路装置を用いる。また受光部４１，５３の受光信号の確認タイミングについては図１２と同様である。
【００６６】
この場合、図１１に示す判定回路６２と同期回路６３とから成る判定部６５は、センサＳ１，Ｓ２の投光素子４４，４５，５１の間欠点灯時（投光パルスｆ参照）に、これと同期制御される受光部４１，５３が受光しているか否かを判定する第１判定部と、センサＳ１，Ｓ２の投光素子４４，４５，５１の消灯時に、これと同期制御される受光部４１，５３が受光していないか否かを判定する第２判定部とを兼ねるものであって、第１および第２判定部により複数回の適正な受光／遮光であると判定された時には正規の受光信号を出力すると共に、第１及び第２判定部により複数回の適正な遮光／遮光であると判定された時（メダルＭにより光軸Ｘ３，Ｘ１，Ｘ２が遮光された時）には正規の遮光信号を出力するように構成されている。なお、複数回の受光／遮光、遮光／遮光により誤動作を防止するものである。
【００６７】
しかも、図１４に示すこの実施例では第１判定部により受光が判定され、第２判定部により受光していると判定された時（つまり投光素子の消灯しているタイミングにおいて受光部が受光していると判定された時）には、直前の出力状態を維持するように構成している。
【００６８】
この図１４に示す実施例の作用を同図のタイミングチャートに基づいて詳述する。  
同図に示す不正治具の投光素子１，２のうち投光素子１による不正があった場合、センサＳ１の投光素子５１が消灯しているにもかかわらず受光部５３には遮光がなく、受光部５３はいわゆる光ゴトによる受光を受けており、センサＳ１の受光部５３は飽和状態となる。
【００６９】
この飽和状態を検知しているので、センサＳ１は時点ｔ７〜ｔ８までの期間Ｔ７においては直前の出力状態であるローレベルの遮光状態出力を維持する。また図１４に示す期間Ｔ８の間は不正治具によりセンサＳ１の投光パルスｆ１が遮光されているので、センサＳ１の出力は当然ローレベルの遮光状態出力となる。さらに時点ｔ９以降の期間Ｔ９については受光部５１の飽和を検知しているため、直前の出力状態であるローレベルの遮光状態出力となる。
【００７０】
また同図に示す不正治具の投光素子１，２のうち投光素子２による不正があった場合、センサＳ２の投光素子４４，４５が消灯しているにもかかわらず、受光部４１には遮光がなく、受光部４１はいわゆる光ゴトによる受光を受けており、センサＳ２の受光部４１は飽和状態となる。
【００７１】
この飽和状態を検知しているので、センサＳ２は時点ｔ７〜ｔ１０までの期間Ｔ１０においては直前の出力状態であるローレベルの遮光状態出力を継続する。また図１４に示す期間Ｔ１１の間は不正治具によりセンサＳ２の投光パルスｆ２が遮光されているので、センサＳ２の出力は当然ローレベルの遮光状態出力となる。さらに時点ｔ１１以降の期間Ｔ１２については受光部４１の飽和を検知しているため、直前の出力状態であるローレベルの遮光状態出力となる。
【００７２】
つまり、センサＳ１，Ｓ２の各出力は正規のメダル検知出力（図２０参照）とは全く異なる出力となる。
【００７３】
このように図１４で示した実施例の遊技機の投入メダル選別装置は、メダルＭを通過させる通路１６と、この通路１６を通過するメダルＭを検知するセンサ３０とを備えた遊技機の投入メダル選別装置であって、センサ３０の投光素子点灯時（各センサＳ１，Ｓ２の投光パルスｆ１，ｆ２参照）に、これと同期制御される受光部４１，５３が受光しているか否かを判定する第１判定部（判定部６５参照）と、センサ３０の投光素子消灯時に受光部４１，５３が受光していないか否かを判定する第２判定部（判定部６５参照）とを備え、第１および第２判定部（判定部６５参照）により複数回の適正な受光／遮光であると判定された時、受光信号を出力する一方、第１判定部により受光が判定され、第２判定部により受光していると判定された時、直前の出力状態を維持するように構成したものである。
【００７４】
この構成によれば、投光素子４４，４５，５１が消灯している時に受光部４１，５３に受光していること、つまり不正治具の投光素子１，２の投光により受光部４１，５３が飽和していることを確認し、この受光部４１，５３の飽和状態を確認した時には、直前の出力状態を維持するので、センサ出力が不正行為による影響を受けることがなく、不正によるメダルカウントを実行しない効果がある。
【００７５】
この図１４で示した実施例においてもその他の点（２組並設に関する点および投受光要素の逆配置に関する点）については図１３の実施例とほぼ同様の作用、効果を奏するものである。
【実施例３】
【００７６】
図１５は遊技機の投入メダル選別装置のさらに他の実施例を示す。この実施例においても図１〜図１１で示した回路装置を用いる。また受光部４１，５３の受光信号の確認タイミングについては図１２と同様である・
この場合、図１１に示す判定回路６２と同期回路６３とから成る判定部６５は、センサＳ１，Ｓ２の投光素子４４，４５，５１の間欠点灯時（投光パルスｆ参照）に、これと同期制御される受光部４１，５３が受光しているか否かを判定する第１判定部と、センサＳ１，Ｓ２の投光素子４４，４５，５１の消灯時に、これと同期制御される受光部４１，５３が受光していないか否かを判定する第２判定部とを兼ねるものである。
【００７７】
しかも、図１５に示すこの実施例では、上述の第２判定部により投光素子４４，４５，５１の消灯時（消灯しているタイミング）に受光部４１，５３が受光していると判定された時、判定部６５はエラー信号を出力（図１５のエラー出力１，２参照）するように構成している。
【００７８】
この図１５に示す実施例の作用を同図のタイミングチャートに基づいて詳述する。  
図１５に示す不正治具の投光素子１，２による不正があった場合、センサＳ１，Ｓ２の投光素子４４，４５，５１が消灯しているにもかかわらず受光部４１，５３には遮光がなく、受光部４１，５３はいわゆる光ゴトによる受光を受けており、センサＳ１，Ｓ２の受光部４１，５３は光ゴトに対応して飽和状態となる。
【００７９】
センサＳ１，Ｓ２の出力は不正治具の投光素子１，２の点灯、消灯のタイミングつまり受光部４１，５３の飽和状態に対応した出力状態となるが、この場合、判定部６５は図１５に示すエラー出力１，２を出力する。
【００８０】
上述のセンサＳ１の出力およびセンサＳ２の出力は正規の出力波形と一致またはほぼ一致するが、これによりメダルカウントが成されようとするのを、エラー出力１，２によってインヒビット（禁止）することができるので、不正行為によるメダルカウントは実行されない効果がある。
【００８１】
このように図１５で示した実施例の遊技機の投入メダル選別装置は、メダルＭを通過させる通路１６と、この通路１６を通過するメダルＭを検知するセンサ３０とを備えた遊技機の投入メダル選別装置であって、センサ３０の投光素子点灯時（各センサＳ１，Ｓ２の投光パルｆ１，ｆ２参照）に、これと同期制御される受光部４１，５３が受光しているか否かを判定する第１判定部（判定部６５参照）と、センサ３０の投光素子消灯時に受光部４１，５３が受光していないか否かを判定する第２判定部（判定部６５参照）とを備え、上記第２判定部により投光素子消灯時に受光部４１，５３が受光していると判定された時、エラー信号（エラー出力１，２参照）を出力するように構成したものである。
【００８２】
この構成によれば、投光素子４４，４５，５１が消灯している時に受光部４１，５３が受光（不正治具の投入素子１，２の投光に相当）していることを判定して、エラー信号（図１５のエラー出力１，２参照）を出力するので、このエラー信号によりメダルカウントを禁止することができるのは勿論、センサ３０外部つまり遊技機側において不正の有無をチェックすることが可能となる。また、上記エラー信号を用いてアラームを駆動することも可能となる。
【００８３】
この図１５で示した実施例においてもその他の点（２組並設に関する点および投受光要素の逆配置に関する点）については図１３，１４の各実施例とほぼ同様の作用、効果を奏するものである。
【００８４】
この発明の構成と、上述の実施例との対応において、  
この発明のメダル類は、実施例のメダルＭに対応し、  
以下同様に、  
第１判定部は、判定部６５に対応し、  
第２判定部は、判定部６５に対応するも、  
この発明は、上述の実施例の構成のみに限定されるものではない。  
例えば図１１のブロック図において投光素子４４，４５，５１以外の部分はＩＣ化してもよく、各要素６１〜６５はＩＣ回路に代えてＣＰＵで構成してもよい。  
また上述の各受光部４1，５３は受光素子にて構成してもよい。
【図面の簡単な説明】
【００８５】
【図１】本発明の投入メダル選別装置を備えた遊技機の外観図。
【図２】投入メダル選別装置の配設箇所を示す説明図。
【図３】投入メダル選別装置の正面図。
【図４】投入メダル選別装置の分解斜視図。
【図５】開閉板を取外した状態で示す投入メダル選別装置の正面図。
【図６】投入メダル選別装置を裏面側から見た状態で示す斜視図。
【図７】センサの正面図。
【図８】図７のA−A線矢視断面図。
【図９】図７のＢ−Ｂ線矢視断面図。
【図１０】通過メダル検知時の説明図。
【図１１】センサの制御回路ブロック図。
【図１２】投光パルスと強い直流光の影響の有無による受光信号との説明図。
【図１３】変調光の信号処理を示すタイミングチャート。
【図１４】変調光の信号処理の他の実施例を示すタイミングチャート。
【図１５】変調光の信号処理のさらに他の実施例を示すタイミングチャート。
【図１６】従来のセンサ構造を示す正面図。
【図１７】図１６のＣ−Ｃ線矢視断面図。
【図１８】図１６のＤ−Ｄ線矢視断面図。
【図１９】光軸に対するメダルの位置変化を示す説明図。
【図２０】従来のセンサによる正常メダル通過時のタイミングチャート。
【図２１】従来の不正行為による各部の波形を示すタイミングチャート。
【符号の説明】
【００８６】
Ｍ…メダル（メダル類）
１６…通路
３０…センサ
４１，５３…受光部
４４，４５，５１…投光素子
６５…判定部（第１判定部、第２判定部）
Ｓ１，Ｓ２…検知センサ
【図１】
0004742532.tif 000002
【図２】
0004742532.tif 000003
【図３】
0004742532.tif 000004
【図４】
0004742532.tif 000005
【図５】
0004742532.tif 000006
【図６】
0004742532.tif 000007
【図７】
0004742532.tif 000008
【図８】
0004742532.tif 000009
【図９】
0004742532.tif 000010
【図１０】
0004742532.tif 000011
【図１１】
0004742532.tif 000012
【図１２】
0004742532.tif 000013
【図１３】
0004742532.tif 000014
【図１４】
0004742532.tif 000015
【図１５】
0004742532.tif 000016
【図１６】
0004742532.tif 000017
【図１７】
0004742532.tif 000018
【図１８】
0004742532.tif 000019
【図１９】
0004742532.tif 000020
【図２０】
0004742532.tif 000021
【図２１】
0004742532.tif 000022